(57)【要約】【課題】収納家具の収納空間を共に閉鎖する引戸同士の間の隙間を隠して、見映えを良好にする。【解決手段】収納家具は、複数の横板３と、複数の方立板４とが組み付けられて収納空間が区画され、該収納空間を開閉する引戸を備え、引戸は、横板３に互いに独立してスライド移動可能に吊り下げ支持された第１引戸１１ａ及び第２引戸１１ｂを含む。第１引戸１１ａ及び第２引戸１１ｂには、それぞれ第１引手１９ａ及び第２引手１９ｂが配設され、第１引手１９ａの上部には、その裏面側から第１隙間隠し部２０ａが第２引戸側に向かって突設され、第２引手１９ｂの下部には、その裏面側から第２隙間隠し部２０ｂが第１引戸側に向かって突設され、収納空間の全閉時に、第１の隙間隠し部２０ａと第２の隙間隠し部２０ｂとは互いに上下方向で重なって第１引戸１１ａと第２引戸１１ｂとの間の隙間を塞ぐ。【選択図】図４
2014144216.tif 000002
【特許請求の範囲】
【請求項１】
天板又は棚板からなる複数の横板と、該横板に垂直な複数の方立板とが組み付けられて収納空間が区画され、該収納空間の前側に収納空間を開閉する引戸が設けられた収納家具において、
前記引戸は、前記横板に互いに独立して左右方向にスライド移動可能に吊り下げ支持された第１引戸及び第２引戸を含み、
前記第１引戸には、その裏面と前記第２引戸側の側端面との間の隅角に第１引手が配設されている一方、
前記第２引戸には、その裏面と前記第１引戸側の側端面との間の隅角に第２引手が配設され、
前記第１引手の上部には、その裏面側から前記第２引戸側に向かって延びる第１隙間隠し部が突設されている一方、
前記第２引手の下部には、その裏面側から前記第１引戸側に向かって延びる第２隙間隠し部が突設されており、
前記第１引戸と前記第２引戸とが前記収納空間を全閉した状態では、前記第１の隙間隠し部と前記第２の隙間隠し部とは互いに上下方向で重なって前記第１引戸と前記第２引戸との間の隙間を塞ぐように構成されていることを特徴とする収納家具。
【請求項２】
前記第１引手及び第２引手は、それぞれの裏面側及び側端面側が開放された凹部と、該凹部の底面に後方に向けて突設された手掛かり部とを有することを特徴とする請求項１に記載の収納家具。
【請求項３】
前記第１隙間隠し部及び第２隙間隠し部の上下方向の長さは、それぞれ前記第１引戸及び第２引戸の上下方向の長さの２分の１であることを特徴とする請求項１又は２に記載の収納家具。
【発明の詳細な説明】
【技術分野】
【０００１】
本発明は、収納家具に関し、特に、収納空間を開閉する扉として引戸が用いられている収納家具に関する。
【背景技術】
【０００２】
従来からキャビネット及びクローゼット等の収納家具の扉として、収納家具の前方にスペースを取らない、及び開けたままでも邪魔にならない等の理由から引戸が採用されている。通常、収納家具の引戸には、その表面（外側面）に、指を掛けることができて引戸の開閉を容易にするための引手が設けられている。
【０００３】
また、引手に特別な部材を設けることによって、引き戸の開閉を容易にすること以外の機能を付加することも行われている。例えば、特許文献１には、引戸の表面の戸先側に引手が設けられ、その引手に隙間部材が戸先方向（閉方向）に向かって突設された構成が開示されている。特許文献１に記載の引戸によると、収納空間を閉鎖した状態において引戸自体が収納家具の側板内側面に当接せず、その代わりに、引手から戸先方向に突設された前記隙間部材が収納家具の側板内側面に当接するため、引戸と収納家具の側板内側面との間に隙間が生じる。これにより、容易にその隙間に手の指を差し込むことができるようになり、引戸の開閉作業を容易にできる。
【先行技術文献】
【特許文献】
【０００４】
【特許文献１】特開平１１−３００８１号公報
【発明の概要】
【発明が解決しようとする課題】
【０００５】
ところで、１つの収納空間の開閉を左右一対の引戸により行う収納家具では、引戸が全閉状態にあるとき、収納家具の正面において、それらの引戸同士の間に隙間が生じていると見映えが悪いため、一方の引戸の戸先側端部（閉方向端部）に、他方の引戸方向に延びる樹脂製の軟質パッキン材を設け、その軟質パッキン材を他方の引戸に当接させることで、隙間を隠すことが行われている。
【０００６】
しかしながら、このようにすると、引戸同士の間の隙間は隠れるものの、軟質パッキン材は変形が生じやすくて見映えが良好でないばかりか、軟質パッキン材を引戸の所定箇所に貼り付けるための工程が必要となり、コストも増大してしまう。さらに、引戸の戸先側端部に引手が設置されている場合、引手の設置部分に軟質パッキン材を貼り付けることが困難となるか、又は貼り付けることができずに隙間を隠すことができなくなる。
【０００７】
そこで、引手自体にそのような隙間を隠す部材を設けることが考えられるが、例えば特許文献１のようにすると、逆に隙間が生じて、収納空間の正面の見映えが悪化してしまう。
【０００８】
本発明は、前記の問題に鑑みてなされたものであり、その目的は、収納家具の収納空間を共に閉鎖する引戸同士の間の隙間を隠して、見映えを良好にすることにある。
【課題を解決するための手段】
【０００９】
前記の目的を達成するために、本発明は、収納空間を共に開閉する引戸同士にそれぞれ引手が設けられている収納家具において、その一方の引戸の引手には他方の引戸に向かって隙間隠し部を突設する一方、他方の引戸の引手には前記一方の引戸に向かって隙間隠し部を突設する構成とした。
【００１０】
具体的に、本発明に係る収納家具は、天板又は棚板からなる複数の横板と、該横板に垂直な複数の方立板とが組み付けられて収納空間が区画され、該収納空間の前側に収納空間を開閉する引戸が設けられている。そして、引戸は、横板に互いに独立して左右方向にスライド移動可能に吊り下げ支持された第１引戸及び第２引戸を含み、第１引戸には、その裏面と第２引戸側の側端面との間の隅角に第１引手が配設されている一方、第２引戸には、その裏面と第１引戸側の側端面との間の隅角に第２引手が配設されている。また、第１引手の上部には、その裏面側から第２引戸側に向かって延びる第１隙間隠し部が突設されている一方、第２引手の下部には、その裏面側から第１引戸側に向かって延びる第２隙間隠し部が突設されており、第１引戸と第２引戸とが収納空間を全閉した状態では、第１の隙間隠し部と前記第２の隙間隠し部とは互いに上下方向で重なって第１引戸と第２引戸との間の隙間を塞ぐように構成されている。
【００１１】
本発明に係る収納家具によると、第１引戸及び第２引戸が収納空間を全閉する位置にあるとき、第１の隙間隠し部と第２の隙間隠し部とが上下方向に重なって第１の引戸と第２の引戸との間の隙間を塞ぐように構成されているため、収納家具の正面から見て隙間が生じず、その見映えが良好となる。さらに、第１引手及び第２引手は、それぞれ第１引戸及び第２引戸の側端面と裏面との間の隅角に設けられているため、収納家具の正面から目立たず、見映えをさらに良好にできる。また、第１引手及び第２引手は、第１引戸及び第２引戸の側端面と裏面との間の隅角に形成されているが、第１隙間隠し部及び第２隙間隠し部は、第１引手及び第２引手の裏面側に突設されているため、引手に指を掛ける際に、その妨げになることはない。
【００１２】
本発明に係る収納家具において、第１引手及び第２引手は、それぞれの裏面側及び側端面側が開放された凹部と、該凹部の底面に後方に向けて突設された手掛かり部とを有することが好ましい。
【００１３】
このようにすると、第１引手及び第２引手に指を容易に掛けることができるので、第１引戸及び第２引戸の開閉を容易にすることができる。
【００１４】
本発明に係る収納家具において、第１隙間隠し部及び第２隙間隠し部の上下方向の長さは、それぞれ前記第１引戸及び第２引戸の上下方向の長さの２分の１であることが好ましい。
【００１５】
このようにすると、第１引戸と第２引戸との間の隙間における上下方向の全範囲を塞ぐことができ、第１引戸及び第２引戸のそれぞれに同一の長さの隙間隠し部が設けられているため、見映えが良好となる。さらに、第１引手及び第２引手において、第１引戸及び第２引戸の上下方向の長さの残りの２分の１の部分には第１隙間隠し部及び第２隙間隠し部が形成されていないため、それぞれの引手に指を掛けることが困難とならない。
【発明の効果】
【００１６】
本発明に係る収納家具によると、引戸の引手に設けられた隙間隠し部により、収納空間を共に閉鎖する引戸同士の間の隙間を隠すことができるため、収納家具の正面の見映えを良好にできる。
【図面の簡単な説明】
【００１７】
【図１】本発明の一実施形態に係る収納家具の構成の概略を示す正面図である。
【図２】本発明の一実施形態に係る収納家具の構成の概略を示す平面図である。
【図３】本発明の一実施形態に係る収納家具の構成の概略を示す側面図である。
【図４】（ａ）及び（ｂ）は本発明の一実施形態に係る収納家具の上側インセット扉を示す正面図であり、（ａ）は収納空間を閉じた状態を示し、（ｂ）は収納空間を開いた状態を示している。
【図５】上側インセット扉及びそのスライド機構を示す扉の裏側から見た斜視図である。
【図６】（ａ）は上側インセット扉の表面側の斜視図であり、（ｂ）２つの上側インセット扉が全閉状態のときの表面側の斜視図である。
【図７】（ａ）は上側インセット扉の裏面側の斜視図であり、（ｂ）２つの上側インセット扉が全閉状態のときの裏面側の斜視図である。
【発明を実施するための形態】
【００１８】
以下、本発明を実施するための形態を図面に基づいて説明する。以下の好ましい実施形態の説明は、本質的に例示に過ぎず、本発明、その適用物或いはその用途を制限することを意図するものでない。
【００１９】
（収納家具の構成）
まず、本発明の一実施形態に係る収納家具の全体的な構成について図１〜図３を参照しながら説明する。図１は本実施形態の収納家具の正面図であり、図２はその平面図であり、図３はその側面図である。なお、図１〜図３では、図の簡略化のために、後に説明する各扉のスライド機構を省略している。
【００２０】
図１〜図３において、Ｆは例えば住宅におけるリビングルーム等の室内の床、Ｗはその壁部であって、この壁部Ｗ前側の床Ｆ上には収納家具１が設置されている。この収納家具１は、床Ｆと平行な横板である４枚の棚板３，３，…（最上に位置するものは天板ともいう）と、棚板３，３，…と垂直に上下方向（鉛直方向）に延びると共に棚板３で分断された左右４枚の方立板４，４，…とを備えている。この収納家具１では、それら棚板３，３，…と方立板４，４，…とを格子状に組んで一体化しており、それらにより、複数の収納空間が区画されている。
【００２１】
例えば、収納家具１の左右中央下部寄りには、例えば薄型テレビ（図示せず）を収納するためのテレビ収納空間Ｓ１が区画されている。また、この収納家具１のテレビ収納空間Ｓ１の左右両側に隣接する左側及び右側の２枚の方立板４，４間にはそれぞれ水平方向に延びると共に収納空間Ｓ１で分断された横板である分割棚板５，５が掛け渡されている。さらに、収納家具１の下部（テレビ収納空間Ｓ１よりも下側）に位置する４枚の方立板４，４，…間には水平方向に延びる底板７が掛け渡されている。以上の方立板４，４，…、棚板３，３，…、分割棚板５，５及び底板７により、収納家具１にはテレビ収納空間Ｓ１以外に１３の収納空間Ｓ２，Ｓ２，…，Ｓ９が区画されている。
【００２２】
また、収納家具１の前部には、左右２枚の縦長の引戸である第１アウトセット扉１０ａ及び第２アウトセット扉１０ｂと、この第１アウトセット扉１０ａ及び第２アウトセット扉１０ｂよりも後側に位置し、収納家具１の上端部に位置する左右２枚の引戸である第１上側インセット扉１１ａ及び第２上側インセット扉１１ｂと、第１上側インセット扉１１ａ及び第２上側インセット扉１１ｂの下側に位置する左右２枚の引戸である第１下側インセット扉１２ａ及び第２下側インセット扉１２ｂとがそれぞれ後述するスライド機構により左右方向にスライド移動可能に取付支持されている。なお、このような引戸の取付及びスライド機構については、後に詳細に説明する。
【００２３】
上記第１アウトセット扉１０ａ及び第２アウトセット扉１０ｂは、テレビ収納空間Ｓ１の左右半部及び該テレビ収納空間Ｓ１の上側に隣接する収納空間Ｓ７と、テレビ収納空間Ｓ１の左右に隣接する上下２つの収納空間Ｓ３，Ｓ４及び該両収納空間Ｓ３，Ｓ４の上側に隣接する収納空間Ｓ５との間をスライド移動して、前者の収納空間Ｓ１，Ｓ７及び後者の収納空間Ｓ３〜Ｓ５を交互に開閉する。また、第１上側インセット扉１１ａ及び第２上側インセット扉１１ｂは、収納家具１上端の左右中央寄りの収納空間Ｓ８と、その左右両側に隣接する収納空間Ｓ６，Ｓ６との間を移動して両収納空間Ｓ８，Ｓ６を交互に開閉する。さらに、第１下側インセット扉１２ａ及び第２下側インセット扉１２ｂは、上から２番目でテレビ収納空間Ｓ１の上側に隣接する収納空間Ｓ７と、その左右両側に隣接する収納空間Ｓ５，Ｓ５との間を移動して両収納空間Ｓ７，Ｓ５を交互に開閉する。
【００２４】
また、収納家具１において、テレビ収納空間Ｓ１真下の収納空間Ｓ９には例えばＡＶ機器（図示せず）が設置される。そのため、この収納空間Ｓ９の周囲に位置する部分である収納家具１前端部には透明ガラス製の開閉扉１３が例えば下端部にて左右水平方向の軸心を有するヒンジ（図示せず）により揺動可能に支持され、この開閉扉１３により収納空間Ｓ９を開閉するようにしている。
【００２５】
さらに、テレビ収納空間Ｓ１よりも下側の左右の収納空間Ｓ２，Ｓ２にはそれぞれ引出し１４，１４が前後方向にスライド移動可能に収容されている。
【００２６】
（引戸及びそのスライド機構）
次に、本実施形態に係る引戸である第１上側インセット扉１１ａ及び第２上側インセット扉１１ｂと、そのスライド機構との詳細について図４（ａ）、（ｂ）及び図５を参照しながら説明する。図４は、収納家具１の第１上側インセット扉１１ａ及び第２上側インセット扉１１ｂと、そのスライド機構とを示す正面図であり、（ａ）は収納空間Ｓ８を閉じた状態を示し、（ｂ）は収納空間Ｓ８を開いた状態を示す。図５は第１上側インセット扉１１ａ及びそのスライド機構を示す扉の裏側から見た斜視図である。
【００２７】
図４（ａ）及び（ｂ）に示すように、上記のスライド機構として、第１上側インセット扉１１ａ及び第２上側インセット扉１１ｂの上部には吊り車１５が取り付けられている一方、棚板３の下面には方立板４の板面と垂直方向に延びる溝１６ａが形成されており、その溝１６ａには、同様に方立板４の板面と垂直方向に延びるガイドレール１６が嵌合されている。
【００２８】
具体的に、図５に示すように、第１上側インセット扉１１ａの裏面の上部には取付穴部２１が設けられ、吊り車１５の下部に配置した取付部１５ａが取付穴部２１に嵌合されることにより、第１上側インセット扉１１ａに吊り車１５が取り付けられる。取付穴部２１は、第１上側インセット扉１１ａの裏面（内側面）から上端面に亘って形成された穴部の壁面及びその周縁部を覆い、且つ吊り車１５の取付部１５ａの形状に対応するように形成された金属部材により構成されている。なお、図５では第１上側インセット扉１１ａを例として説明したが、第２上側インセット扉１１ｂにおいても同様に構成されている。
【００２９】
吊り車１５は、上記の通り、上記取付穴部２１に嵌合される取付部１５ａを有し、また、その上部には車輪部１５ｂが設けられている。車輪部１５ｂは、上記棚板３の下面に形成された溝１６ａ（図５では図示せず）に配設される断面略Ｃ字状のガイドレール１６内に収容されて、その内底面上を走行自在となるように取り付けられている。
【００３０】
これにより、図４（ａ）及び（ｂ）に示すように、第１上側インセット扉１１ａ及び第２上側インセット扉１１ｂは、それぞれ吊り車１５を介して棚板３に吊り下げ支持され、また、互いに独立してガイドレール１６に沿って左右にスライド移動可能となっている。
【００３１】
また、ガイドレール１６は、方立板４よりも収納空間Ｓ８外側（前側）に配置されており、このことで、第１上側インセット扉１１ａ及び第２上側インセット扉１１ｂは、方立板４と接触することなく、その前方をガイドレール１６に沿ってスライド移動可能に構成されている。
【００３２】
第１上側インセット扉１１ａには、第２上側インセット扉１１ｂ側の側端面と裏面との間の隅角に第１引手１９ａが配設され、第２上側インセット扉１１ｂには、第１上側インセット扉１１ａ側の側端面と裏面との間の隅角に第２引手１９ｂが配設されている。後に詳細に説明するが、第１引手１９ａ及び第２引手１９ｂは、それぞれ第１隙間隠し部２０ａ及び第２隙間隠し部２０ｂを有し、第１上側インセット扉１１ａ及び第２上側インセット扉１１ｂが収納空間Ｓ８を全閉した状態のとき、それらの間の隙間が第１隙間隠し部２０ａ及び第２隙間隠し部２０ｂにより塞がれるように構成されている。
【００３３】
第１上側インセット扉１１ａ及び第２上側インセット扉１１ｂのそれぞれの下端面には、それらのスライド移動方向（左右方向）に延びるガイド溝１７が形成されている。但し、ガイド溝１７は、第１上側インセット扉１１ａ及び第２上側インセット扉１１ｂのそれぞれの側端にまで達しないように形成されており、すなわち、ガイド溝１７の長さ方向（左右方向）の端部には壁面１７ａ，１７ｂがある。一方、第１上側インセット扉１１ａ及び第２上側インセット扉１１ｂの下側に位置する棚板３の上面には、上方に突出してその先端部がガイド溝１７内にまで達するガイドピン１８が設けられている。ガイドピン１８は、第１上側インセット扉１１ａと第２上側インセット扉１１ｂが、収納空間Ｓ８を全閉（収納空間Ｓ６は全開）した状態のときに、第１上側インセット扉１１ａ及び第２上側インセット扉１１ｂのそれぞれの側端面が互いに接触しないように、ガイド溝１７の壁面１７ａに当接して第１上側インセット扉１１ａ及び第２上側インセット扉１１ｂのそれぞれのスライド移動を規制できるように配置されている。
【００３４】
なお、ガイドピン１８は、第１上側インセット扉１１ａ及び第２上側インセット扉１１ｂが収納空間Ｓ８を全閉（収納空間Ｓ６を全開）した状態のときに、ガイド溝１７の一方の壁面１７ａと当接し、反対に、第１上側インセット扉１１ａ及び第２上側インセット扉１１ｂが収納空間Ｓ８を全開（収納空間Ｓ６を全閉）した状態のときには、ガイドピン１８がガイド溝１７の他方の壁面１７ｂと当接するように配置されていてもよい。このようにすると、第１上側インセット扉１１ａ及び第２上側インセット扉１１ｂのそれぞれをその全開位置と全閉位置との間のみでスライド移動させることが可能となる。
【００３５】
また、図示しないが、第１上側インセット扉１１ａ及び第２上側インセット扉１１ｂが収納空間Ｓ８を全開及び全閉する位置に対応して、ガイドレール１６に吊り車１５の走行を規制するストッパ部材が設けられていてもよい。このようにすることで、該ストッパ部材がガイド溝１７及びガイドピン１８と共同して、第１上側インセット扉１１ａ及び第２上側インセット扉１１ｂのそれぞれを全開位置と全閉位置との間のみでスライド移動させることが可能となり、さらに、吊り車１５がガイドレール１６から脱落することを防止できる。
【００３６】
（引手）
次に、第１引手１９ａ及び第２引手１９ｂについて、図６（ａ）、（ｂ）及び図７（ａ）、（ｂ）を参照しながら説明する。図６（ａ）は第２上側インセット扉１１ｂの表面側の斜視図であり、図６（ｂ）は第１上側インセット扉１１ａと第２上側インセット扉１１ｂとが全閉状態のときの表面側の斜視図である。図７（ａ）は、第１上側インセット扉１１ａの裏面側の斜視図であり、図７（ｂ）は第１上側インセット扉１１ａと第２上側インセット扉１１ｂとが全閉状態のときの裏面側の斜視図である。なお、図６（ａ）、（ｂ）及び図７（ａ）、（ｂ）では、図の簡略化のために、取付穴部２１及び吊り車１５を省略している。
【００３７】
図６（ａ）、（ｂ）及び図７（ａ）、（ｂ）に示すように、また、上述した通り、第１上側インセット扉１１ａには、第２上側インセット扉１１ｂ側の側端面と裏面との間の隅角に、第１引手１９ａが設けられている。言い換えると、第１引手１９ａは、第１上側インセット扉１１ａの第２上側インセット扉１１ｂ側の側端面から裏面にまで亘って設けられている。また、第２上側インセット扉１１ｂには、第１上側インセット扉１１ａ側の側端面と裏面との間の隅角に、第２引手１９ｂが設けられている。言い換えると、第２引手１９ｂは、第２上側インセット扉１１ｂの第１上側インセット扉１１ａ側の側端面から裏面にまで亘って設けられている。
【００３８】
具体的に、それらの構成について第２引手１９ｂを例として説明すると、第２引手１９ｂは、第２上側インセット扉１１ｂの裏面と接する裏面片１９ｂ１と、該裏面片１９ｂ１に対して略垂直であり且つ第２上側インセット扉１１ｂの側端面と接する側端面片１９ｂ２とを含む。また、裏面片１９ｂ１には、その厚さ方向に窪んだ凹部１９ｂ３が形成されている。凹部１９ｂ３は、その裏面側（収納空間側）のみならず、側端面側も開放した形状である。すなわち、凹部１９ｂ３は、底面と、上側、下側及び第２上側インセット扉１１ｂの中央側に位置する３つの壁面とを有する。このように、第２引手１９ｂは、第２上側インセット扉１１ｂの裏面側及び側端面側が開放した凹部１９ｂ３を有するため、第２上側インセット扉１１ｂの側端面側から裏面側に向かって手を入れて、第２引手１９ｂに指を掛けることができる。
【００３９】
さらに、第２引手１９ｂは、裏面片１９ｂ１の下部から裏面片１９ｂ１と平行に側方（第１上側インセット扉１１ａ側）に突出する第２隙間隠し部２０ｂを有する。なお、第２隙間隠し部２０ｂは、凹部１９ｂ３の下部における裏面側の開放を覆うように一体に形成されている。
【００４０】
第２引手１９ｂと同様に、第１引手１９ａも裏面片１９ａ１、側端面片１９ａ２及び凹部１９ａ３を有する。但し、第１引手１９ａは、その裏面片１９ａ１の上部から側方（第２上側インセット扉１１ｂ側）に突出する第１隙間隠し部２０ａを有する。
【００４１】
このような第１引手１９ａを有する第１上側インセット扉１１ａと、第２引手１９ｂを有する第２上側インセット扉１１ｂとを収納空間Ｓ８を全閉する位置にスライド移動させると、第１隙間隠し部２０ａと第２隙間隠し部２０ｂとが上下方向に重なって、第１上側インセット扉１１ａと第２上側インセット扉１１ｂとの間の隙間を塞ぐように構成されている。すなわち、第１隙間隠し部２０ａ及び第２隙間隠し部２０ｂのそれぞれの側方への突出長さは互いに同一となっている。また、それらの間の隙間の上下方向の全てを塞ぐことができるようにするためには、第１隙間隠し部２０ａと第２隙間隠し部２０ｂとの上下方向の長さの和は、第１上側インセット扉１１ａ及び第２上側インセット扉１１ｂの上下方向の長さと同一であることが好ましい。
【００４２】
さらに、第１隙間隠し部２０ａ及び第２隙間隠し部２０ｂの上下方向の長さは互いに同一であること、すなわち第１上側インセット扉１１ａ及び第２上側インセット扉１１ｂの上下方向の長さの２分の１であることが好ましい。このようにすると、第１隙間隠し部２０ａ及び第２隙間隠し部２０ｂの上下方向の長さが同一であるため、見映えが良いことに加えて、第１隙間隠し部２０ａ及び第２隙間隠し部２０ｂが、それぞれ、第１引手１９ａの凹部１９ａ３及び第２引手１９ｂの凹部１９ｂ３の裏面側（収納空間側）の開放のうち２分の１のみを覆っているため、第１引手１９ａ及び第２引手１９ｂに指を掛けることが困難とはならない。
【００４３】
また、第１上側インセット扉１１ａ及び第２上側インセット扉１１ｂが、収納空間Ｓ８を全閉する位置にあるとき、第１隙間隠し部２０ａは第２引手１９ｂの側端面片１９ｂ２に当接し、第２隙間隠し部２０ｂは第１引手１９ａの側端面片１９ａ２に当接する。但し、その当接する側端面片１９ａ２，１９ｂ２の少なくとも一部に衝撃干渉材となる樹脂材が設けられていてもよい。この場合、樹脂材により全閉状態にある第１上側インセット扉１１ａと第２上側インセット扉１１ｂとの間に若干の隙間が生じることになるので、設ける樹脂材の大きさは生じる隙間が目立たない程度の大きさとなるようにすることが好ましい。また、そのような樹脂材は、収納家具の正面の見映えを悪化しないために、透明であることが好ましい。
【００４４】
上記のような第１引手１９ａ及び第２引手１９ｂをそれぞれ、第１上側インセット扉１１ａ及び第２上側インセット扉１１ｂに取り付ける場合、第１上側インセット扉１１ａ及び第２上側インセット扉１１ｂのそれぞれにも凹部１９ａ３，１９ｂ３に対応するように、その裏面から側端面に亘って窪み部を形成し、形成されたその窪み部に第１引手１９ａ及び第２引手１９ｂのそれぞれの凹部１９ａ３，１９ｂ３を嵌め込む。さらに、凹部１９ａ３，１９ｂ３の周辺における裏面片１９ａ１，１９ｂ１及び側端面片１９ａ２，ｂ２をビス等の取付部材（図示せず）により第１上側インセット扉１１ａ及び第２上側インセット扉１１ｂの裏面及び側端面に取り付けることで、第１引手１９ａ及び第２引手１９ｂをそれぞれ第１上側インセット扉１１ａ及び第２上側インセット扉１１ｂに固定することができる。
【００４５】
さらに、本実施形態に係る第１引手１９ａ及び第２引手１９ｂには、それぞれの凹部１９ａ３，１９ｂ３における側端面片１９ａ３，１９ｂ３側の端部に、後方（収納空間側）に突出した凸部である手掛かり部２２が形成されている。これにより、第１引手１９ａ及び第２引手１９ｂに指が容易に掛かるため、第１上側インセット扉１１ａ及び第２上側インセット扉１１ｂの開閉を容易にできる。なお、手掛かり部２２は、指が掛かりやすい形状であれば特に限定されない。また、手掛かり部２２が設けられる位置についても、指を掛けることができれば凹部１９ａ３，１９ｂ３における側端面片１９ａ２，１９ｂ２側の端部に限らない。
【００４６】
本実施形態では、第１上側インセット扉１１ａ及び第２上側インセット扉１１ｂは、吊り車１５及びガイドレール１６を用いて、棚板３にスライド移動可能に吊り下げ支持されているが、前記方立板４と接触せずに棚板３に沿ってスライド移動できれば、その支持方法は限定されない。
【００４７】
また、本実施形態では、第１上側インセット扉１１ａと第２上側インセット扉１１ｂとを例として引戸、そのスライド機構及び引手について説明したが、当然に第１アウトセット扉１０ａと第２アウトセット扉１０ｂ及び第１下側インセット扉１２ａと第２下側インセット扉１２ｂにも、上記の引戸、そのスライド機構及び引手を同様に適用可能である。但し、第１アウトセット扉１０ａ及び第２アウトセット扉１０ｂの場合、スライド機構において、吊り車１５が第１アウトセット扉１０ａ及び第２アウトセット扉１０ｂの裏面側上部に取り付けられており、その吊り車１５が棚板３の下面側の溝に設けられたガイドレール１６に取り付けられることで、第１アウトセット扉１０ａ及び第２アウトセット扉１０ｂが棚板３に吊り下げ支持される。
【産業上の利用可能性】
【００４８】
本発明は、収納空間を共に閉鎖する引戸同士の間の隙間を隠すことができ、収納空間を開閉する扉として引戸が用いられた収納家具等に有用である。
【符号の説明】
【００４９】
１  収納家具
３  棚板（横板）
４  方立板
５  分割棚板（横板）
７  底板
１０ａ  第１アウトセット扉（第１引戸）
１０ｂ  第２アウトセット扉（第２引戸）
１１ａ  第１上側インセット扉（第１引戸）
１１ｂ  第２上側インセット扉（第２引戸）
１２ａ  第１下側インセット扉（第１引戸）
１２ｂ  第２下側インセット扉（第２引戸）
１３  開閉扉
１４  引出し
１５  吊り車
１５ａ  取付部
１５ｂ  車輪部
１６  ガイドレール
１６ａ  溝
１７  ガイド溝
１８  ガイドピン
１９ａ  第１引手
１９ｂ  第２引手
１９ａ１，１９ｂ１  裏面片
１９ａ２，１９ｂ２  側端面片
１９ａ３，１９ｂ３  凹部
２０ａ  第１隙間隠し部
２０ｂ  第２隙間隠し部
２１  取付穴部
２２  手掛かり部
【図１】
2014144216.tif 000003
【図２】
2014144216.tif 000004
【図３】
2014144216.tif 000005
【図４】
2014144216.tif 000006
【図５】
2014144216.tif 000007
【図６】
2014144216.tif 000008
【図７】
2014144216.tif 000009